(57)【要約】【課題】  カードを完全に挿入する前の状態で、設定と合致する正しい方向でのカード挿入かどうかを判断することができるカード認識装置を提供すること。【解決手段】  電極を有するカード３と、挿入口２ａから挿入されるカード３を収容する収容部２と、収容されたカード３の電極と接触する正コンタクト部６と、手前の所定位置までカード３が挿入されたことを検出するカード認識スイッチ５と、カード３が所定位置まで挿入され、且つ設定されたカード方向と合致する場合に、正コンタクト部６より先にカード３の電極と接触する確認コンタクト部４と、カード認識スイッチ５の検出の際に、確認コンタクト部４のカード電極との接触有無からカード３が設定された方向で挿入されているかどうかを判断する判断部７とを備えた。【選択図】        図１
2007108980.tif 000002
【特許請求の範囲】
【請求項１】
電極を有するカードと、
挿入口から挿入される前記カードを収容する収容手段と、
設定されたカード方向による挿入で収容された前記カードの電極と接触するコンタクト手段と、
前記コンタクト手段による電極との接触位置まで挿入されていない手前の所定位置までカードが挿入されたことを検出するカード挿入検出手段と、
カードが前記所定位置まで挿入され、且つ設定されたカード方向と合致する場合に、前記コンタクト手段より先に前記カードの電極と接触する確認コンタクト手段と、
前記カード挿入検出手段の検出の際に、前記確認コンタクト手段のカード電極との接触有無からカードが設定された方向で挿入されているかどうかを判断する判断手段と、
を備えることを特徴とするカード認識装置。
【請求項２】
請求項１に記載のカード認識装置において、
カードの長手方向の１／４以下を挿入した位置において、前記カード挿入検出手段及び前記確認コンタクト手段による検出を行なうようにした、
ことを特徴とするカード認識装置。
【請求項３】
請求項１または請求項２に記載のカード認識装置において、
カードが設定された方向で挿入されていない場合に警報を出力する警報手段を設けた、
ことを特徴とするカード認識装置。
【発明の詳細な説明】
【技術分野】
【０００１】
本発明は、ICチップカードに代表されるような接点を有するカードが装置等に挿入された際に、その挿入方向の誤った挿入を防止するカード認識装置の技術分野に属する。
【背景技術】
【０００２】
従来では、カードの電極と接触する正コンタクト部を、カードを挿入する挿入経路の奥側上部に設け、カードを挿入する挿入経路の入口に近い位置で、且つ正コンタクト部と対向する側に誤コンタクト部を設けて、誤コンタクト部の検出により、誤ったカードの挿入方向を検出している（例えば、特許文献１参照。）。
【特許文献１】特開２００３−１５１６５９号公報（第２−４頁、全図）
【発明の開示】
【発明が解決しようとする課題】
【０００３】
しかしながら、従来のカード認識装置にあっては、カードの電極が挿入口の手前側になるカード方向での誤ったカード挿入に対して、カードを正コンタクト部への接触位置、つまり完全にカードを挿入した状態にしなければ、設定に対して正しいカード方向での挿入がされたかどうかを判断することができなかった。そのため、処理時間が長いものになっていた。
【０００４】
本発明は、上記問題点に着目してなされたもので、その目的とするところは、カードを完全に挿入する前の状態で、設定と合致する正しい方向でのカード挿入かどうかを判断することができるカード認識装置を提供することにある。
【課題を解決するための手段】
【０００５】
上記目的を達成するため、本発明では、電極を有するカードと、挿入口から挿入される前記カードを収容する収容手段と、設定されたカード方向による挿入で収容された前記カードの電極と接触するコンタクト手段と、前記コンタクト手段による電極との接触位置まで挿入されていない手前の所定位置までカードが挿入されたことを検出するカード挿入検出手段と、カードが前記所定位置まで挿入され、且つ設定されたカード方向と合致する場合に、前記コンタクト手段より先に前記カードの電極と接触する確認コンタクト手段と、前記カード挿入検出手段の検出の際に、前記確認コンタクト手段のカード電極との接触有無からカードが設定された方向で挿入されているかどうかを判断する判断手段と、を備えることを特徴とする。
【発明の効果】
【０００６】
よって、本発明にあっては、カードを完全に挿入する前の状態で、設定と合致する正しい方向でのカード挿入かどうかを判断することができる。
【発明を実施するための最良の形態】
【０００７】
以下、本発明のカード認識装置を実現する実施の形態を、実施例１に基づいて説明する。
【実施例１】
【０００８】
まず、構成を説明する。
図１は実施例１のカード認識装置の構成を示す図である。
実施例１のカード認識装置１は、収容部２、カード３、確認コンタクト部４、カード認識スイッチ５、正コンタクト部６、判断部７、警報装置８を主要な構成としている。
収容部２は、１面を開口した箱型形状であり、箱型形状の内部をカード３の収容空間とするものである。カード３は、開口が挿入口２ａとなり、この挿入口２ａから内部へ挿入される。
【０００９】
さらに、収容部２は、内部にカード３の図示しないストッパ機構を有し、カード３が所定の挿入位置で保持される構造にしている。
カード３は、ICカードであり、１面の所定の位置、つまり収容部２へ挿入した際、奥側の上部となる位置にICカードチップ３ａを備えている。このチップには、カードを利用した装置で必要とされる情報が記録されており、外部への出力端子として電極を備えている。
【００１０】
確認コンタクト部４は、収容部２の上面２ｂから下方に向かって設けられ、収容部２のICカードチップ３ａと接触することによって、オン出力を行う。
カード認識スイッチ５は、収容部２の上面２ｂから下方に向かって設けられ、下方先端に接触レバー５ａを配置し、挿入されるカード３の先端が接触することにより、オン出力を行う。
【００１１】
なお、確認コンタクト部４と、カード認識スイッチ５の配置は、次の配置となるようにする。収容部２の挿入口２ａに最も近い側に確認コンタクト部４を設ける。カードが挿入され、ICカードチップ３ａの電極部分と確認コンタクト部４が接触している状態で、カード認識スイッチ５がオン出力となる位置にカード認識スイッチ５を設けるようにする。つまり、カード３の先端からICカードチップ３ａまでの距離と、確認コンタクト部４とカード認識スイッチ５の距離がほぼ同じ距離となる配置にする。
【００１２】
正コンタクト部６は、収容部２の上面２ｂに下方に向かって設置され、カード３のICカードチップ３ａの電極部分と接触し、必要な情報の入力部となる。また、その配置位置は、確認コンタクト部４及びカード認識スイッチ５よりも収容部２の内部の奥側となり、カード３が収容部２のストッパ機構により挿入が止まる収容位置で電極部分と接触する配置位置にする。
【００１３】
判断部７は、確認コンタクト部４及びカード認識スイッチ５の出力結果から、カード３が設定されたカード方向かどうかを判断し、設定に対して正しいカード方向でない場合には、警報装置８に警報を出力させる指令を出力する。
警報装置８は、判断部７からの判断結果による指令出力により、カード方向が設定に対して正しい方向でないことを音声出力やブザー音、表示などによりカードの操作を行っている人に伝達する。
【００１４】
次に作用を説明する。
[誤ったカード挿入の検出について]
ここで、誤ったカード挿入の検出について説明する。なお説明上、従来において説明する限り、本実施例と同じ構成名称を使用するが、符号は省略する。
図３は従来の装置においてカードの誤挿入を検出する構成を示す図である。
図３に示す従来の装置では、上方に設けた正コンタクト部に対して、入口側の下方に誤コンタクト部を設けている。
この開示した従来公報の構成において、カードの奥側の一部にICカードチップを設けて、挿入するそれぞれの場合を、図４を参照して説明する。
図４は従来の装置においてカードの挿入方向のパターンを示す説明図である。
【００１５】
カードの１面の１部にICカードチップを配置した場合において、カードの挿入方向は、図４(a)〜(d)に示す４種類となる。つまり、図４(a)をICカードチップが上部奥側に位置するカード方向を表側の正しい位置とするならば、図４(b)は、表裏が逆、図４(c)は、表側で１８０度挿入向きが逆、図４(d)は、表裏が逆で且つ１８０度挿入向きが逆となる。以上のパターンに対して、図３に示す従来に構成により、正コンタクト部と誤コンタクト部により誤ったカード挿入を判定すると、図４(a),(b)の判定は、問題なく行えるものの、図４(c),(d)については、カードを完全に収容部の内部へ差し込み、カードが完全に差し込まれたことと、その場合に、正コンタクト部で検出がないことから判断されることになる。
【００１６】
すると、カード操作としては、カードを排出して、再挿入する処理にするしかなく、操作を途中でやり直すことにはならない。そのために、全体のカード操作にかかる時間は増えることになり、カードの操作としては、面倒になる。
本実施例１では、この問題を解決している。
【００１７】
[カード挿入時の処理]
図２に示すのは、実施例１のカード認識装置におけるカード挿入時の処理の流れを示すフローチャートで、以下各ステップについて説明する。
【００１８】
ステップＳ１では、カード認識スイッチ５のＯＮ出力があるかどうかを判断し、ＯＮ出力があるならばステップＳ２へ進み、ＯＮ出力がない場合には、ステップＳ１へ戻る。
【００１９】
ステップＳ２では、確認コンタクト部４のＯＮ出力があるかどうかを判断し、ＯＮ出力があるならば、ICカードチップ３ａとの導通が正常と判断して処理を終了する。ＯＮ出力がない場合には、ICカードチップ３ａとの導通が正常でないと判断し、ステップＳ３へ進む。
【００２０】
ステップＳ３では、誤ったカード方向でのカード挿入である旨を音声やブザー、又は表示により操作者へ警報装置８で伝達する。
【００２１】
[誤ったカード操作の防止作用]
(a)正常なカード方向（図４(a)のカード方向）の場合
正常なカード方向の場合、カード３を収容部２の挿入口２ａにカードの長手方向の略１／４ほど挿入した際に、カード３の先端が、カード認識スイッチ５の接触レバー５ａに接触して、ＯＮ出力となり、このことがステップＳ１の処理により検知され、その際に、ICカードチップ３ａの電極と確認コンタクト部４が接触してＯＮ出力となり、このことがステップＳ２の処理で検知され、正常と判断される。つまり、本実施例１では、カード３を略１／４ほど挿入した際に正常であることが判断されるのである。正常であるので警報は出力されることなく、さらにカード３が挿入されて、所定位置で収容部２に保持され、この際にICカードチップ３ａの電極と正コンタクト部６が接触して、情報入力等が正常に行われる。
【００２２】
(b)カード方向が表裏逆（図４(b)のカード方向）の場合
カード方向が表裏逆になっている場合には、カード３を収容部２の挿入口２ａにカードの長手方向の略１／４ほど挿入した際に、カード３の先端が、カード認識スイッチ５の接触レバー５ａに接触して、ＯＮ出力となる（ステップＳ１）。次にステップＳ２の処理において、ICカードチップ３ａが裏側にあることからICカードチップ３ａの電極と確認コンタクト部４の接触はない。そのためステップＳ３の処理で警報が行われる。操作者はカード３を略１／４ほど挿入した際に警報で正常なカード方向ではないことに気づくため、操作を途中でやり直すことができる。
【００２３】
(c)カード方向が１８０度逆（図４(c)のカード方向）の場合
カード方向が１８０度逆になっている場合には、カード３を収容部２の挿入口２ａにカードの長手方向の略１／４ほど挿入した際に、カード３の先端が、カード認識スイッチ５の接触レバー５ａに接触して、ＯＮ出力となる（ステップＳ１）。次にステップＳ２の処理において、ICカードチップ３ａが１８０度反対側にあることから、カード認識スイッチ５がＯＮ出力になった際の位置では、ICカードチップ３ａの電極と確認コンタクト部４の接触はない。そのためステップＳ３の処理で警報が行われる。操作者はカード３を略１／４ほど挿入した際に警報で正常なカード方向ではないことに気づくため、操作を途中でやり直すことができる。
【００２４】
(d)カード方向が表裏逆で且つ１８０度逆（図４(d)のカード方向）の場合
カード方向が表裏逆で且つ１８０度逆になっている場合には、カード３を収容部２の挿入口２ａにカードの長手方向の略１／４ほど挿入した際に、カード３の先端が、カード認識スイッチ５の接触レバー５ａに接触して、ＯＮ出力となる（ステップＳ１）。次にステップＳ２の処理において、ICカードチップ３ａが裏側にあることからICカードチップ３ａの電極と確認コンタクト部４の接触はない。そのためステップＳ３の処理で警報が行われる。操作者はカード３を略１／４ほど挿入した際に警報で正常なカード方向ではないことに気づくため、操作を途中でやり直すことができる。
【００２５】
以上のように、本実施例１では、設定に合致した正しいカード方向以外のカード方向を全て正常でないと確実に判断でき、さらにその判断をカード３の長手方向の約１／４ほど挿入した時点で警報できるために、容易に操作を途中でやり直すことができる。そのため、操作ミスがあることを考慮した全体の操作時間を短いものにすることができる。さらに、操作者にとっては、操作初期で正しい操作でないことに気づきやり直すことができることは、操作を面倒に感じることなく快適な操作にできることになる。
【００２６】
次に、効果を説明する。
【００２７】
実施例１のカード認識装置にあっては、下記に列挙する効果を得ることができる。
【００２８】
(1)電極を有するカード３と、挿入口２ａから挿入されるカード３を収容する収容部２と、設定されたカード方向による挿入で収容されたカード３の電極と接触する正コンタクト部６と、正コンタクト部６による電極との接触位置まで挿入されていない手前の所定位置までカード３が挿入されたことを検出するカード認識スイッチ５と、カード３が所定位置まで挿入され、且つ設定されたカード方向と合致する場合に、正コンタクト部６より先にカード３の電極と接触する確認コンタクト部４と、カード認識スイッチ５の検出の際に、確認コンタクト部４のカード電極との接触有無からカード３が設定された方向で挿入されているかどうかを判断する判断部７とを備えるため、カードを完全に挿入する前の状態で、設定と合致する正しい方向でのカード挿入かどうかを判断することができる。
【００２９】
(2)カード３の長手方向の１／４以下を挿入した位置において、カード認識スイッチ５及び確認コンタクト部４による検出を行なうようにしたため、操作初期において、容易にカード操作をやり直すことができる。
【００３０】
(3)カード３が設定された方向で挿入されていない場合に警報を出力する警報装置８を設けたため、操作者は、正しいカード方向でないことを早く気づき、操作を途中でやり直すことができる。
【００３１】
以上、本発明のカード認識装置を実施例１に基づき説明してきたが、具体的な構成については、これらの実施例に限られるものではなく、特許請求の範囲の各請求項に係る発明の要旨を逸脱しない限り、設計の変更や追加等は許容される。
【００３２】
実施例では、カードは主に認証のためのデータが記録されているICカードであったが、例えばカード型の記録媒体であってもよい。
収容部は、カードを差し込むための空間を有するものであればよい。そのため、収容部は、他の装置に組み込まれる構成であってもよい。
カード認識装置は、他の装置と接続されたものであっても、他の装置に組み込まれる構成であってもよい。
【００３３】
実施例では、確認コンタクト部４、カード認識スイッチ５、正コンタクト部６を収容部２の上面２ｂから下方に向かって突出するように設けたが、逆に下面から上方に向かう構成であってもよい。また、カードの広い１面が横向きであるような場合には、側面に配置される構成であってもよい。
【図面の簡単な説明】
【００３４】
【図１】実施例１のカード認識装置の構成を示す図である。
【図２】実施例１のカード認識装置におけるカード挿入時の処理の流れを示すフローチャートである。
【図３】従来の装置においてカードの誤挿入を検出する構成を示す図である。
【図４】従来の装置においてカードの挿入方向のパターンを示す説明図である。
【符号の説明】
【００３５】
１  カード認識装置
２  収容部
２ａ  挿入口
２ｂ  上面
３  カード
３ａ  ICカードチップ
４  確認コンタクト部
５  カード認識スイッチ
５ａ  接触レバー
６  正コンタクト部
７  判断部
８  警報装置
【図１】
2007108980.tif 000003
【図２】
2007108980.tif 000004
【図３】
2007108980.tif 000005
【図４】
2007108980.tif 000006